(57)【特許請求の範囲】
【請求項１】
互いに信号線を介して接続され、負荷制御情報などを有する伝送信号を受信することにより負荷出力を制御する複数の端末器と、前記端末器の出力端に接続される負荷とを備える負荷制御装置において、前記端末器のうちの外部トリガ信号を受信した端末器により、他の前記端末器の論理アドレスを付与するとともに、前記外部トリガ信号を受信した端末器は、その両端に接続された２つの前記端末器に対して、各々異なる論理アドレス付与信号を送信するものであることを特徴とする負荷制御装置。
【請求項２】
前記端末器は、論理アドレスを付与する為の論理アドレス付与信号を受信すると共に、受信した論理アドレス付与信号を演算して得られた新たな論理アドレス付与信号を送信するものであることを特徴とする請求項１記載の負荷制御装置。
【請求項３】
末端に接続された前記端末器は、前記外部トリガ信号を受信した端末器に自己の論理アドレスを送信するものであることを特徴とする請求項１乃至請求項２のいずれかに記載の負荷制御装置。
【請求項４】
前記外部トリガ信号は、リモコン信号であることを特徴とする請求項１乃至請求項３のいずれかに記載の負荷制御装置。
【請求項５】
前記負荷は、照明負荷であることを特徴とする請求項１乃至請求項４のいずれかに記載の負荷制御装置。
【発明の詳細な説明】
【０００１】
【発明の属する利用分野】
本発明は負荷制御装置に関するものであり、更に詳しくは、照明負荷を制御する負荷制御装置に関する。
【０００２】
【従来の技術】
本発明に係る第１従来例のブロック構成図を図１２に示す。
【０００３】
本従来例は、集中監視機能を有する親機２１と複数の端末器２２とがバス配線にて接続され、親機２１から各端末器２２を介して各端末器２２に接続された図示していない負荷（例えば、照明負荷）の出力を制御するものである。
【０００４】
親機２１は、タイムスケジュールやスイッチ操作などの信号情報に連動して端末器２２の論理アドレスを指定し、指定した各端末器２２毎に伝送信号（例えば、照明負荷の場合は点滅調光制御データ）を送る。各端末器２２は、論理アドレスと物理アドレスとを有し、親機２１からの伝送信号に応じて負荷出力を制御すると共に、親機２１からの伝送信号を受け取ったら、親機２１へ返信信号を返送することにより親機２１に対して伝送信号の受信を報知する。また、親機２１は各端末器２２の状態を監視しており、端末器２２に異常が有る場合などは、その情報を親機２１に設けた表示部などに表示する。更に、本構成に照明負荷を用いたものが事務所などの閉空間に用いられることが多いが、この場合、論理アドレスの設定は、論理アドレス設定者の作業性の便宜も考慮して各端末器２２に備えられたディップスイッチで行なわれることが多い。
【０００５】
【発明が解決しようとする課題】
しかし、上記第１従来例に示す様な負荷制御装置では、予め各端末器２２に一意の論理アドレスを設定してすることは作業者にとっては負担となり、更に、何れの論理アドレスを持った端末器２２が何れの場所に設置さているか等の情報管理も必要となり、施工作業性が悪くなってしまう、という第１の問題点が生じてしまう。
【０００６】
上記第１の問題点を解決する手段としては、特開平２−１５３６４９号公報や実開平５−７８０８２号公報等に示したものがあり、これらは、該装置の設置後の論理アドレス設定を簡単に行うことができるものである。
【０００７】
その模式的なブロック構成図を図１３に示す。（本発明に係る第２従来例）本従来例は、集中監視機能を有する親機２１と複数の端末器２２とがわたり配線にて接続され、親機２１から各端末器２２を介して各端末器２２に接続された図示していない負荷（例えば、照明負荷）の出力を制御するものであり、各端末器２２が親機２１から送られてきた信号を演算することで親機２１からの位置を認識し、それを各端末器２２の論理アドレスとするものである。
【０００８】
しかし、上記第１及び第２従来例に示す様な負荷制御装置では、以下に示すような第２の問題点が生じてしまう。
【０００９】
近年、上記第１及び第２従来例のような通信制御システムでは機能の分散化が進んでおり、集中監視機能を有する親機の施工性が劣ることや高価格であること等から、集中監視機能を有する親機を無くし、各端末器のみで負荷制御を行うことができる技術が主流となってきている。一方、分散化したシステムであっても、端末器の論理アドレスを設定する必要は有るが、論理アドレスの設定の簡素化の為の対策は遅れている（該装置の製造時などに設定する等）のが現状である。
【００１０】
本発明は上記全ての問題点に鑑みてなされたもので、その目的とするところは、集中監視機能を有する親機のない負荷制御装置において、該装置の施工後であっても、簡単に、各端末器に論理アドレスを付与可能な負荷制御装置を提供することである。
【００１１】
【課題を解決するための手段】
上記問題点を解決するために、請求項１記載の発明によれば、互いに信号線を介して接続され、負荷制御情報などを有する伝送信号を受信することにより負荷出力を制御する複数の端末器と、端末器の出力端に接続される負荷とを備え、端末器のうちの外部トリガ信号を受信した端末器により、他の端末器の論理アドレスを付与するとともに、前記外部トリガ信号を受信した端末器は、その両端に接続された２つの前記端末器に対して、各々異なる論理アドレス付与信号を送信するものであることを特徴とする。
【００１２】
請求項２記載の発明によれば、請求項１記載の負荷制御装置において、端末器は、論理アドレスを付与する為の論理アドレス付与信号を受信すると共に、受信した論理アドレス付与信号を演算して得られた新たな論理アドレス付与信号を送信するものであることを特徴とする。
【００１３】
請求項３記載の発明によれば、請求項１または請求項２に記載の負荷制御装置において、末端に接続された前記端末器は、前記外部トリガ信号を受信した端末器に自己の論理アドレスを送信するものであることを特徴とする。
【００１４】
請求項４記載の発明によれば、請求項１乃至請求項３のいずれかに記載の負荷制御装置において、前記外部トリガ信号は、リモコン信号であることを特徴とする。
【００１５】
請求項５記載の発明によれば、請求項１乃至請求項４のいずれかに記載の負荷制御装置において、前記負荷は、照明負荷であることを特徴とする。
【００１６】
削除
【００１７】
【実施の形態】
（参考となる実施の形態）本発明の参考となるブロック構成図を図１に、該装置を構成する端末器のブロック構成図を図２に、各端末器間でやりとりされるコマンドの一例を図３に、本発明の参考となる実施の形態の動作フローチャートを図４に示す。
【００１８】
各端末器１ｎ（ｎ＝１、２、３、４・・）は、図２に示す様に、負荷２（例えば、蛍光灯などの照明負荷）と、論理アドレスなどを記憶する記憶部６と、渡り配線で接続された他の端末器１ｎからの信号を受信したり、制御部３の指示信号により他の端末器１ｎへ信号を送出したりする通信部４ｎａ、４ｎｂ（ｎ＝１、２、３、４・・）と、図示しないリモートコントロール装置（以下、リモコンと呼ぶ。）からの信号を受信するリモコン受信部７と、通信部４ｎａ、４ｎｂやリモコン受信部７から送られてくる信号を基に指示信号を送出したり、通信部４ｎａ、４ｎｂやリモコン受信部７から送られてくる信号を基に負荷２の負荷出力を制御する等を行う制御部３と、各構成要素に電源供給を行う電源部５とから構成される。そして、図１に示す様に、各端末器１ｎ（ｎ＝１、２、３、４・・）が互いに渡り配線で接続されている。
【００１９】
以下、図４を参照して動作を簡単に説明する。
１）図示しないリモコンにより、任意の１台の端末器１ｎに対して「論理アドレス設定命令」を送信する。
２）「論理アドレス設定命令」を受信した端末器（ここでは端末器１１とする）は仮親として動作する。同時に、仮親である端末器１１は論理アドレス０を記憶する。
３）仮親である端末器１１は、通信部４１ｂから、データ部Ｃに値１をセットした論理アドレス設定コマンドを送信する。なお、論理アドレス設定コマンドの一例は図３に示す。（論理アドレス設定コマンドの場合には、図３に示すアドレス部Ｂは無視されるものとする。）
４）端末器１１から論理アドレス設定コマンドを通信部４２ａで受信した端末器１２は、その論理アドレス設定コマンドのデータ部Ｃの値１を自己の論理アドレス１として記憶する。
５）端末器１２は、自己の論理アドレス１に値１を加算した値２を、新たな論理アドレス設定コマンドとしてデータ部Ｃにセットする。
６）端末器１２は、通信部４２ｂから、データ部Ｃに値２をセットした論理アドレス設定コマンドを送信する。
以後、端末器１３、１４・・も同様の動作を行う。
【００２０】
ここで、通信部４は、図５に示す様な回路を用い、信号の方式を一般的なマイコンで良く使われているＵＡＲＴ方式として構成すると、より低価格で、より通信の信頼性が高く、双方向に通信可能な装置が構成できる。以下、通信部４の動作を簡単に説明する。
【００２１】
送信側は次の様に動作する。マイコンからのＵＡＲＴ信号をＵＡＲＴ信号の周波数よりも高速に発振する発振器８の発振周波数で変調をかけ、２つのトランジスタＱ１、Ｑ２から互いに反転した変調ＵＡＲＴ信号を出力する。この変調ＵＡＲＴ信号にてパルストランスＴ１を駆動することで、他の端末器には、パルストランスＴ１の出力信号が差動信号として伝達される。一方、受信側は次の様に動作する。受信側は、上述の様に、変調ＵＡＲＴ信号をパルストランスＴ１により差動で受信するので、その変調信号を簡単なピークホールド回路（例えば、一般的なＩＣであるモノステブルマルチバイブレータ７４ＨＣ１２３を使用）ＩＣ９により復調し、マイコンのＵＡＲＴ受信ポートへ送る。
【００２２】
また、図２に示すような端末器１では、ある端末器１の電源が投入されないと、それ以降の端末器１に信号が伝達されなくなってしまう。この問題を解決する為には、端末器１は、例えば図６に示す様な構成にすれば良い。つまり、シーソー接点が１つ内臓されたリレー（一般的には「２Ｃタイプ」と呼ばれているもの）１０を用い、図７、８に示すように、電源のオンオフ等に同期してリレー１０の接点が切り替わるようにしておけば、電源が投入されていない端末器１については、そのまま信号を通過させることができる。（図７は電源が投入されていない場合、図８は電源が投入されている場合を示す。）なお、リレー１０の代わりの他の手段を用いても構わない。
【００２３】
以上のように構成することにより、各端末器は配線された順に、且つ、互いに重複することなく論理アドレスが付与されるので、集中監視機能を有する親機のない負荷制御装置において、該装置の施工後であっても、簡単に、各端末器に論理アドレスを付与することができる。また、論理アドレス設定後に各論理アドレスを順に確認すれば（例えば、論理アドレス０点灯、論理アドレス１点灯・・とコマンドを送る）、配線の断線箇所などを検出することもできる。
【００２４】
なお、論理アドレスは前述のような連続値に限らずに離散値であっても良い。また、各端末器が論理アドレス設定コマンドを受信する毎に値１を加算していたが、それに限定されるものではなく、例えば、受信する毎に２倍するように構成してもよい。また、各端末器に接続される負荷の個数は幾つであっても良い。更に、送信信号の形態は、その用途に応じたものであれば何でもよい。更にまた、ここではリモコンにより任意の１台の端末器１ｎに対して「論理アドレス設定命令」を送信する様に構成したが、他の手段でも良く、例えば、人体検知信号やタイマ信号などであっても良い。
【００２５】
（参考となる他の実施の形態）参考となる他の実施の形態の動作フローチャートを図９に示す。
【００２６】
ブロック構成図などは参考となる実施の形態に示したものと同様であり、参考となる実施の形態と異なる点は、端末器１ｎの一方の出力端に端末器が接続されていない場合にも、確実に、論理アドレス付与時に電源が投入されている端末器全ての、論理アドレスを付与する様に構成したことであり、その他の参考となる実施の形態と同一構成には同一符号を付すことにより説明を省略する。
【００２７】
以下、図９を参照して動作を簡単に説明する。
１）図示しないリモコンにより、任意の１台の端末器１ｎに対して「論理アドレス設定命令」を送信する。
２）「論理アドレス設定命令」を受信した端末器（ここでは端末器１２とする）は仮親として動作する。同時に、仮親である端末器１２は論理アドレス０を記憶する。
３）仮親である端末器１２は、通信部４２ｂから、データ部Ｃに値１をセットした論理アドレス設定コマンドを端末器１３に送信する。
４）端末器１２から論理アドレス設定コマンドを通信部４３ａで受信した端末器１３は、その論理アドレス設定コマンドのデータ部Ｃの値１を自己の論理アドレス１として記憶する。
５）端末器１３は、「論理アドレス設定コマンドを正常に受信しました」の旨のＡＣＫ信号を通信部４３ａから端末器１２に送信する。
６）端末器１３からのＡＣＫ信号を受信できた端末器１２は、端末器１３に論理アドレス設定コマンドを正常に送信できたことを確認する。
７）また、端末器１３は、自己の論理アドレス１に値１を加算した値２を、新たな論理アドレス設定コマンドとしてデータ部Ｃにセットする。
８）端末器１３は、通信部４３ｂから、データ部Ｃに値２をセットした論理アドレス設定コマンドを送信する。
９）端末器１３から論理アドレス設定コマンドを通信部４４ａで受信した端末器１４は、その論理アドレス設定コマンドのデータ部Ｃの値２を自己の論理アドレス２として記憶する。
１０）端末器１４は、「論理アドレス設定コマンドを正常に受信しました」の旨のＡＣＫ信号を通信部４４ａから端末器１３に送信する。
１１）端末器１４からのＡＣＫ信号を受信できた端末器１３は、端末器１４に論理アドレス設定コマンドを正常に送信できたことを確認する。
１２）また、端末器１４は、自己の論理アドレス１に値１を加算した値３を、新たな論理アドレス設定コマンドとしてデータ部Ｃにセットする。
１３）端末器１４は、通信部４４ｂから、データ部Ｃに値３をセットした論理アドレス設定コマンドを送信する。
１４）しかし、通信部４４ｂには何も接続されていないため、端末器１４にはＡＣＫ信号の返信が無い。
１５）端末器１４は、「ＡＣＫ信号が返ってこない＝自分は末端の端末器である」旨を判断し、自己の論理アドレス２を通信部４４ａから仮親である端末器１２に送信する。
１６）端末器１２は、端末器１４からの信号を受信すると、通信部４２ｂ側に接続されている端末器は全て論理アドレスの設定が完了したと判断し、その論理アドレス２に値１を加算したもの（値３）を、新たな論理アドレス設定コマンドとしてデータ部Ｃにセットする。
１７）端末器１２は、通信部４２ａから、データ部Ｃに値３をセットした論理アドレス設定コマンドを端末器１１へと送信する。
１８）端末器１２から論理アドレス設定コマンドを通信部４１ｂで受信した端末器１１は、その論理アドレス設定コマンドのデータ部Ｃの値３を自己の論理アドレス２として記憶する。
１９）端末器１１は、「論理アドレス設定コマンドを正常に受信しました」の旨のＡＣＫ信号を通信部４１ｂから端末器１２に送信する。
２０）端末器１１からのＡＣＫ信号を受信できた端末器１２は、端末器１１に論理アドレス設定コマンドを正常に送信できたことを確認する。
以後、他の端末器も同様の動作を行う。
【００２８】
以上の様に構成することにより、仮親の位置に関わらずに、且つ、互いに重複することなく全ての論理アドレスが付与されることになり、つまり、集中監視機能を有する親機のない負荷制御装置において、該装置の施工後であっても、簡単に、各端末器に論理アドレスを付与することができる。
【００２９】
（本発明に係る実施の形態１）本発明に係る第１の実施の形態の動作フローチャートを図１０に示す。
【００３０】
参考となる他の実施の形態と異なる点は、参考となる他の実施の形態では、各端末器自身が末端に接続されているか否かを判断する様に構成していたが、本実施の形態では、各端末器自身が末端に接続されているか否かを判断する必要なく、確実に、論理アドレス付与時に電源が投入されている端末器全ての、論理アドレスを付与する様に構成したことであり、その他の参考となる他の実施の形態と同一構成には同一符号を付すことにより説明を省略する。
【００３１】
以下、図１０を参照して動作を簡単に説明する。
１）図示しないリモコンにより、任意の１台の端末器１ｎに対して「論理アドレス設定命令」を送信する。
２）「論理アドレス設定命令」を受信した端末器（ここでは端末器１２とする）は仮親として動作する。同時に、仮親である端末器１２は論理アドレス０を記憶する。
３）仮親である端末器１２は、通信部４２ｂから、データ部Ｃ１に値１をセットした論理アドレス設定コマンドを端末器１３に送信する。また、通信部４２ａから、データ部Ｃ２に値２をセットした論理アドレス設定コマンドを端末器１１に送信する。
４）端末器１２から論理アドレス設定コマンドを通信部４３ａで受信した端末器１３は、その論理アドレス設定コマンドのデータ部Ｃの値１を自己の論理アドレス１として記憶する。
５）端末器１３は、自己の論理アドレス１に値２を加算した値３を、新たな論理アドレス設定コマンドとしてデータ部Ｃにセットする。
６）端末器１３は、通信部４３ｂから、データ部Ｃに値３をセットした論理アドレス設定コマンドを送信する。
７）一方、端末器１２から論理アドレス設定コマンドを通信部４１ｂで受信した端末器１１は、その論理アドレス設定コマンドのデータ部Ｃの値２を自己の論理アドレス２として記憶する。
８）端末器１１は、自己の論理アドレス２に値２を加算した値４を、新たな論理アドレス設定コマンドとしてデータ部Ｃにセットする。
９）端末器１１は、通信部４１ａから、データ部Ｃに値４をセットした論理アドレス設定コマンドを送信する。
以後、他の端末器も同様の動作を行う。
【００３２】
以上の様に構成することにより、仮親の位置に関わらず、各端末器自身が末端に接続されているか否かを判断する必要なく、且つ、互いに重複することなく、確実に全ての論理アドレスが付与されることになり、つまり、集中監視機能を有する親機のない負荷制御装置において、該装置の施工後であっても、簡単に、各端末器に論理アドレスを付与することができる。
【００３３】
なお、仮親である端末器が送信する論理アドレス設定コマンドのデータ部Ｃの値は１と２とに設定したが、これに限定されるものではなく、また、各端末器では値２を加算しているが、これに限定されるものではなく、本実施の形態の作用効果を満たすものであれば何でも良い。
【００３４】
（本発明に係る実施の形態２）本発明に係る第２の実施の形態の動作フローチャートを図１１に示す。
【００３５】
参考となる他の実施の形態と異なる点は、論理アドレスが未設定（つまり、未付与）の端末器に論理アドレスを付与する様に構成したことであり、その他の参考となる他の実施の形態と同一構成には同一符号を付すことにより説明を省略する。
【００３６】
以下、図１１を参照して動作を簡単に説明する。なお、仮親である端末器１２には、最後に付与された論理アドレスが返信され、仮親である端末器１２で記憶する様に構成しておく。また、論理アドレス付与時に端末器１４の電源がオフされていたとする、つまり、端末器１４には論理アドレスが付与されていない、とする。
１）論理アドレスが未設定である端末器１４の電源が投入されると、端末器１４は、仮親である端末器１２に対して論理アドレス要求コマンドを送信する。
２）仮親である端末器１２は、通信部４２ｂから、最後に付与された論理アドレス（ここでは５０）に値１を加算した値５１をセットした論理アドレス設定コマンドを端末器１３に送信する。
４）端末器１２から論理アドレス設定コマンドを通信部４３ａで受信した端末器１３は、すでに論理アドレスが付与されているので、その論理アドレス設定コマンドをスルーし、そのまま端末器１４に送信する。
５）端末器１３を介して端末器１２から論理アドレス設定コマンドを通信部４４ａで受信した端末器１４は、その論理アドレス設定コマンドのデータ部Ｃの値５１を自己の論理アドレス５１として記憶する。
６）端末器１４は、自己の論理アドレス５１に値１を加算した値５２を、新たな論理アドレス設定コマンドとしてデータ部Ｃにセットする。
７）端末器１４は、通信部４４ｂから、他の論理アドレス未付与の端末器の為に、データ部Ｃに値５２をセットした論理アドレス設定コマンドを送信する。
以後、他の端末器も同様の動作を行う。
【００３７】
以上の様に構成することにより、論理アドレスが未設定の端末器に論理アドレスを付与することができる。
【００３８】
なお、上記全ての実施の形態は、本発明の作用効果を満たすものであれば、適宜組み合わせても良い。
【００３９】
【発明の効果】
請求項１記載の発明によれば、集中監視機能を有する親機のない負荷制御装置において、該装置の施工後であっても、簡単に、各端末器に論理アドレスを付与可能であり、また、論理アドレス設定後に各論理アドレスを順に確認すれば、配線の断線箇所などを検出することも可能となり、さらに仮親の位置に関わらずに、且つ、互いに重複することなく全ての論理アドレスが付与可能な負荷制御装置を提供できる。
【００４０】
請求項２記載の発明によれば、請求項１に記載の発明と同等の負荷制御装置を提供できる。
【００４１】
請求項３記載の発明によれば、請求項１乃至請求項２のいずれかに記載の発明の効果に加えて、仮親の位置に関わらず、各端末器自身が末端に接続されているか否かを判断する必要なく、且つ、互いに重複することなく、確実に全ての論理アドレスが付与可能な負荷制御装置を提供できる。
【００４２】
請求項４記載の発明によれば、請求項１乃至請求項３のいずれかに記載の発明の効果に加えて、作業者にとって、論理アドレスを付与する作業が楽で簡単な負荷制御装置を提供できる。
【００４３】
請求項５記載の発明によれば、請求項１乃至請求項４のいずれかに記載の発明の効果に加えて、照明負荷出力を得ることが可能な負荷制御装置を提供できる。
【図面の簡単な説明】
【図１】本発明の参考となるブロック構成図を示す。
【図２】本発明の参考となる端末器のブロック構成図を示す。
【図３】本発明の参考となる各端末器間でやりとりされるコマンドの一例の模式図を示す。
【図４】本発明の参考となる実施の形態の動作フローチャートを示す。
【図５】本発明の参考となる通信部の回路構成の一例の回路図を示す。
【図６】本発明の参考となる端末器の別のブロック構成図を示す。
【図７】上記端末器の作用を模式的に示すブロック構成図を示す。
【図８】上記端末器の作用を模式的に示す別のブロック構成図を示す。
【図９】本発明参考となる他の実施の形態の動作フローチャートを示す。
【図１０】本発明に係る第１の実施の形態の動作フローチャートを示す。
【図１１】本発明に係る第２の実施の形態の動作フローチャートを示す。
【図１２】本発明に係る第１従来例のブロック構成図を示す。
【図１３】本発明に係る第２従来例のブロック構成図を示す。
【符号の説明】
１    端末器
２    負荷
【図１】
0003726544.tif 000002
【図２】
0003726544.tif 000003
【図３】
0003726544.tif 000004
【図４】
0003726544.tif 000005
【図５】
0003726544.tif 000006
【図６】
0003726544.tif 000007
【図７】
0003726544.tif 000008
【図８】
0003726544.tif 000009
【図９】
0003726544.tif 000010
【図１０】
0003726544.tif 000011
【図１１】
0003726544.tif 000012
【図１２】
0003726544.tif 000013
【図１３】
0003726544.tif 000014